(57)【要約】【課題】跳躍種目である走り幅跳びや三段跳び競技に於いて、競技者は助走路を走行し踏切板で踏み切って着地エリアである砂場に着地するまでの期間、砂場やその周辺には目指すべき跳躍のための着地点目標が無いために、競技者に対して更なる記録更新の機会を均等に提供することが出来なかった問題を解決する。【解決手段】着地エリアである砂場の側方に、ライン状の基体部材と該基体部材には所定の間隔をおいて取り付けられた複数の電気光学的な距離表示部材を有し、この距離表示部材は助走路を走行する競技者が視認し跳躍の目標となるように基体部材のライン方向を向いて配置する構造とした。【選択図】　　　図１
2004008712.tif 000002
【特許請求の範囲】
【請求項１】
陸上競技の走り幅跳びや三段跳び等、助走路から砂場に向って跳躍する種目に使用する着地エリアマーカであって、前記砂場における着地エリアの側方に配設されるライン状の基体部材と該基体部材に所定の間隔をおいて取り付けられた複数の電気光学的な距離表示部材とを有し、前記距離表示部材は助走路を走行する競技者が視認出来るように前記基体部材のライン方向を向いて配置されていることを特徴とする競技用着地エリアマーカ。
【請求項２】
前記基体部材には所定の間隔で複数の距離表示部材を取り付ける表示部材取り付け部が設けられており、各表示部材取り付け部には各々距離表示部材が取り付けられている請求項１記載の競技用着地エリアマーカ。
【請求項３】
前記基体部材には、取り付けられた複数の距離表示部材を駆動するための電源ユニットが設けられている請求項２記載の競技用着地エリアマーカ。
【請求項４】
前記距離表示部材が電源ユニットを備えている請求項１または２記載の競技用着地エリアマーカ。
【請求項５】
前記電源ユニットが太陽電池である請求項４記載の競技用着地エリアマーカ。
【請求項６】
所定の長さを有する単位基体部材に距離表示部材を一体化してマーカユニットを構成し、複数のマーカユニットを直列に結合して構成された請求項１記載の競技用着地エリアマーカ。
【請求項７】
前記マーカユニットは機械的結合手段を有し、前記機械的結合手段によって、複数のマーカユニットが結合一体化される請求項６記載の競技用着地エリアマーカ。
【請求項８】
前記マーカユニットは電気的結合手段を有する請求項７記載の競技用着地エリアマーカ。
【請求項９】
前記マーカユニットの機械的結合手段及び電気的結合手段に結合可能な電源ユニットを設け、該電源ユニットから直列に結合された各マーカユニットに電源が供給される請求項８記載の競技用着地エリアマーカ。
【請求項１０】
前記距離表示部材が数字表示装置を有する請求項１〜９記載の競技用着地エリアマーカ。
【請求項１１】
前記数字表示装置が発光ダイオードである請求項１０記載の競技用着地エリアマーカ。
【発明の詳細な説明】
【０００１】
【発明の属する技術分野】
本発明は、走り幅跳びや三段跳びなどの陸上競技の跳躍種目に於いて、競技者に対して公平に着地点目標を示し記録更新の機会を均等に提供する着地エリアマーカに関する。
【０００２】
【従来の技術】
従来、跳躍の高さを競う走り高跳びや棒高跳び競技では、特定の高さに設定されたバーがあり、競技者はこのバーを目標物として跳躍を行うので、更なる記録更新を目指すことが可能であった。
また、砲丸投げ、円盤投げ、ハンマー投げ等の投てき種目では、落下地点目標として１ｍ単位或いは５ｍ単位の距離標識をフィールド内に設置しているので、競技者はこの距離標識を目標として競技することができる。
図８は従来例としてのハンマー投げ競技の概略配置図であり、図８に於いて、１は競技者（図示せず）がハンマーを投げる場所として規定される投てきサークルであり、２は前記投てきサークル１から４０度の角度で伸びる２本の投射角ラインであり、３は前記２本の投射角ライン２によって定められるハンマーの着地点であるフィールドであり、４は前記フィールド３内にあって前記投てきサークル１からの距離を特定の間隔で示す距離表示ラインであり、５は前記投てきサークル１から前記距離表示ライン４までのそれぞれの直線距離を表示する距離標識である。
ここで、競技者は投てきサークル１内でハンマーを回転し、２本の投射角ライン２で定められるフィールド３に向かってハンマーを投げるが、このとき競技者はフィールド３内の距離表示ライン４や距離標識５を目標としてハンマーを投げることができるので、より遠くの目標を目指すことが出来、記録更新の機会を十分に得ることが出来る。
【０００３】
次に、従来の陸上競技の跳躍種目である走り幅跳びや三段跳び競技について説明する。
図９は従来の走り幅跳びや三段跳び競技の概略配置図であり、図９に於いて、１０は走り幅跳びや三段跳びの競技者であり、１１は前記競技者１０が跳躍して着地する着地エリアとしての砂場であり、１２は前記競技者１０が前記砂場１１に向かって助走するための助走路であり、１３は前記競技者１０が前記助走路１２で助走後跳躍するための踏切位置としての踏切板であり、１４は主に観客（図示せず）に前記競技者１０の跳躍距離の目安を示す為の距離標識マーカである。図１０は、図９の距離標識マーカ１４を矢印Ｂの方向から見た距離標識マーカ１４の側面図であり、図１０に於いて、１４ａは一定間隔の目盛りを有する距離表示板であり、１４ｂは前記距離表示板１４ａの上部に置かれて図９の前記踏切板１３からの距離を１ｍ間隔で表す距離標識である。
【０００４】
ここで、図９に於いて走り幅跳びを例にして競技方法を簡単に説明すると、競技者１０は、通常４５ｍ長の前記助走路１２を矢印Ａの方向に向かって助走し、十分にスピードが出た時点で前記踏切板１３の位置で踏み切って跳躍し着地エリアである砂場１１に着地する。
次に競技者１０の跳躍終了後、跳躍距離の計測者（図示せず）は、競技者１０が砂場１１に残した前記踏切板１３に最も近い痕跡から前記踏切板１３の砂場１１に最も近い端である踏切線（図示せず）までの距離を正確に計測し、前記競技者１０の跳躍距離として記録する。
また、競技を観戦している観客は、前記距離標識マーカ１４の距離表示板１４ａと距離標識１４ｂとによって、競技者１０の大まかな跳躍距離を知る事が出来る。
【０００５】
【発明が解決しようとする課題】
しかし、走り幅跳びや三段跳び競技の競技者１０自身は、助走路１２を走行し踏切板１３で踏み切って砂場１１に着地するまでの期間、着地エリアである前記砂場１１やその周辺には目指すべき跳躍の目標となる着地点目標が何も無かった。また、距離標識マーカ１４はその向きが観客に向いて設置されているので、競技中の競技者１０にとってはまったく見えず、跳躍のための着地点目標とはならなかった。
すなわち、前述のごとく、走り高跳びや棒高跳び、及び各種の投てき種目等では、競技をする上で目指すべき目標物や距離標識が存在するので記録更新の機会を均等に与えられているが、走り幅跳びや三段跳び競技に於いては、目指すべき目標物や有効な距離標識が何も無いので、競技者に対して記録更新の機会を均等に提供することが出来なかった。
本発明は上記問題に鑑み成されたもので、走り幅跳びや三段跳び競技に於いて、競技者が助走路を走行して踏切板で踏み切り着地するまでの間、すべての競技者に対して公平に着地点目標を示すことにより、競技者に更なる記録更新の機会を均等に与える競技用着地エリアマーカの提供を目的としている。
【０００６】
【課題を解決するための手段】
上記の課題を解決するため本発明においては、走り幅跳びや三段跳び等、助走路から砂場に向って跳躍する種目に使用する着地エリアマーカであって、前記砂場における着地エリアの側方に配設されるライン状の基体部材と該基体部材に所定の間隔をおいて取り付けられた複数の電気光学的な距離表示部材とを有し、前記距離表示部材は助走路を走行する競技者が視認出来るように前記基体部材のライン方向を向いて配置される構成としたものである。
【０００７】
また、前記基体部材には、所定の間隔で前記距離表示部材を取り付ける複数の表示部材取り付け部が設けられており、該表示部材取り付け部には各々前記距離表示部材が取り付けられる構成としたものである。
【０００８】
また、前記基体部材には、取り付けられた複数の距離表示部材を駆動するための電源ユニットを設ける構成とした。
【０００９】
さらに、前記距離表示部材が電源ユニットを備える構成としたものである。
【００１０】
さらに、前記電源ユニットは太陽電池であってもよい。
【００１１】
また、所定の長さを有する単位基体部材に前記距離表示部材を一体化してマーカユニットを構成し、複数のマーカユニットを直列に結合する構成とした。
【００１２】
また、前記マーカユニットは機械的結合手段と電気的結合手段を有し、該機械的結合手段と電気的結合手段によって、複数のマーカユニットが結合一体化される構成とした。
【００１３】
さらに、前記マーカユニットの機械的結合手段と電気的結合手段に結合可能な電源ユニットを設け、該電源ユニットから直列に結合された各マーカユニットに電源が供給されるようにした。
【００１４】
また、前記距離表示部材が数字表示装置を有し、さらに、該数字表示装置が発光ダイオードで構成されるものとした。
【００１５】
【発明の実施の形態】
以下、本発明の実施の形態を図面に基づいて説明する。
図１は本発明の実施の形態である走り幅跳びや三段跳び競技で砂場の側方に配設される競技用着地エリアマーカの斜視図であり、図１に於いて２０は競技用着地エリアマーカであり、２１はライン状の基体部材であり、２２は前記基体部材２１に所定の間隔で取り付けられる複数の電気光学的な距離表示部材であり、２２ａは該距離表示部材２２の正面に配設した発光ダイオードによってなる数字表示装置であり、２３は前記複数の距離表示部材２２へ電力を供給する電源ユニットとしての太陽電池である。
ここで、距離表示部材２２は図１に於いては基体部材２１に２個配設しているが、必要に応じて基体部材２１を更にライン状に伸ばし、前記距離表示部材２２の配置数を３個、４個、５個と増やしてもよい。
【００１６】
図２は、前記競技用着地エリアマーカ２０に於いて、基体部材２１と複数の距離表示部材２２を分離した斜視図であり、２１ａは前記距離表示部材２２と前記基体部材２１を機械的電気的に所定の間隔で取り付け結合するための複数の表示部材取り付け部であり、２２ｂは前記距離表示部材２２の下部にあって前記基体部材２１の表示部材取り付け部２１ａに挿入して基体部材２１と距離表示部材２２を機械的電気的に結合する表示部材結合部であり、この構成によって複数の距離表示部材２２は前記基体部材２１に対して着脱可能となり、使用する競技に応じて前記距離表示部材２２の配置数を増減することもできる。
【００１７】
図３は、図１及び図２で示した距離表示部材２２の拡大斜視図であり、該距離表示部材２２をより詳細に説明する。
図３に於いて、距離表示部材２２の正面には前記数字表示装置２２ａがあって数字表示を行う２桁の７セグメントの高輝度発光ダイオードと小数点表示する丸型の高輝度発光ダイオードによってなり、また、表示部材結合部２２ｂは前記基体部材２１の太陽電池２３からの電力供給を受けるための電気的接続手段である表示部コネクタ２２ｄを有し、該表示部コネクタ２２ｄによって前記太陽電池２３からの電力が前記表示部材結合部２２ｂの内部に供給され、更に該表示部材結合部２２ｂと連結している表示連結部材２２ｅを介して距離表示部材２２の内部にある表示制御部（図示せず）に供給され、該表示制御部は前記数字表示装置２２ａを制御して所定の距離表示を行い、図３に於いては６．０メートルを意味する６．０が表示されている。
また、２２ｆは前記表示部材結合部２２ｂの上部４面に貼り付けられた防水用パッキンであり、表示部材結合部２２ｂと前記基体部材２１の表示部材取り付け部２１ａとの僅かな隙間を埋めて雨などの水分が基体部材２１内に進入することを防いでいる。
【００１８】
図４は、図３で示した距離表示部材２２の他の実施の形態を示す拡大斜視図であり、基本構造は図３の距離表示部材２２と同じなので詳細な説明は省略するが、２２ｇは距離表示部材２２の上部に配設された電源ユニットとしての太陽電池であって、該太陽電池２２ｇからの電力供給を受けて距離表示部材２２の内部にある表示制御部（図示せず）は前記数字表示装置２２ａを制御して所定の距離表示を行う。
よって、図４の実施の形態では、距離表示部材２２がそれぞれ独立して電力供給を行い前記数字表示装置２２ａを動作させるので、図３で示した前記基体部材２１との電気的接続手段である表示コネクタ２２ｄや、図１で示した基体部材２１の電源ユニットとしての太陽電池２３などは不要であり、全体の構成が単純となる。
【００１９】
次に本発明の競技用着地エリアマーカが、跳躍種目に於いて実際にどのように配置されるかを走り幅跳び競技を例として説明する。
図６は、本発明の競技用着地エリアマーカを用いた走り幅跳び競技の概略配置図であり、基本的な構成は前記図９で示した走り幅跳びや三段跳び競技の概略配置図と同様であるので重複する部分の説明は省略する。
図６に於いて二つの競技用着地エリアマーカ２０は、競技者１０の着地エリアである砂場１１の側方、すなわち、競技者１０から見て砂場１１に対して左右両方に、且つ、砂場１１の側面に沿って１台ずつ設置され、ライン状の基体部材２１に所定の間隔で取り付けられているそれぞれ７台の距離表示部材２２Ａ〜２２Ｇは、助走路１２を走行して来る競技者１０が視認できるように、前記基体部材２１のライン方向に向かって一列に配設されており、また、踏切板１３に最も近い距離表示部材２２Ａと該踏切板１３までの距離は、図示する如く５メートルと設定され、各距離表示部材２２Ａ〜２２Ｇの距離間隔は、図示する如く０．５メートルと設定されている。
尚、図６で示す距離表示部材は７台が配置されているが、競技種目やその内容に応じて配設数を増減してよく、また、図１と図２で示した太陽電池２３は図６に於いては省略している。
【００２０】
次に本発明の競技用着地エリアマーカの動作を図１〜図３及び図６を用いて説明する。
図６に於いて砂場１１の側方に配置された二台の競技用着地エリアマーカ２０は、電源スイッチ（図示せず）をオンすることによって、図１で示した前記基体部材２１の太陽電池２３が発生する電力は、図２で示した基体部材２１の表示部材取り付け部２１ａと距離表示部材２２の表示部材結合部２２ｂを介して図６で示す各距離表示部材２２Ａ〜２２Ｇの内部に供給される。
ここで、電力供給を受けた各距離表示部材２２Ａ〜２２Ｇは、各距離表示部材２２Ａ〜２２Ｇの内部にある表示制御部（図示せず）によって数字表示装置２２ａを駆動制御して距離表示を行い、図６に於いて距離表示部材２２Ａは５．０メートルを表す５．０を表示し、距離表示部材２２Ｂは５．５メートルを表す５．５を表示し、距離表示部材２２Ｃは６．０メートルを表す６．０を表示し、距離表示部材２２Ｄは６．５メートルを表す６．５を表示し、距離表示部材２２Ｅは７．０メートルを表す７．０を表示し、距離表示部材２２Ｆは７．５メートルを表す７．５を表示し、距離表示部材２２Ｇは８．０メートルを表す８．０を表示する。
この結果、競技用着地エリアマーカ２０は踏切板１３から砂場１１の各エリアまでの距離を距離表示部材２２Ａ〜２２Ｇによって正確に且つ視認し易いように明るく表示するので、競技者１０に対して踏切板１３からの着地点目標を明確に示すことができる。
尚、各距離表示部材２２Ａ〜２２Ｇの距離表示内容は、競技種目や競技者のレベルに応じて任意に変更できることは言うまでも無い。
【００２１】
次に図６に於いて競技用着地エリアマーカを利用した実際の走り幅跳び競技の内容を説明する。
まず競技開催前に、前述した如く競技用着地エリアマーカ２０に取り付けられている各距離表示部材２２Ａ〜２２Ｇに所定の距離を点灯表示させる。
競技が開始されると競技者１０は、踏切板１３から４５メートル離れた地点に立ち、そこから矢印Ａの方向に沿って助走路１２を助走する。
ここで、着地エリアである砂場１１の両側方に競技用着地エリアマーカ２０があり、各距離表示部材２２Ａ〜２２Ｇが着地点距離を表示しているので、競技者１０自身が目指すべき目標跳躍距離を表示する距離表示部材を視認し、助走から踏切板１３を踏み切るまでの期間常に目標を意識して走り続け跳躍することができる。
また、競技者ごとに跳躍の目標距離が異なる場合は、その目標距離となる特定の距離表示部材のみを点灯したり、又は、その目標距離となる特定の距離表示部材のみを取り付けたりして、競技者固有の着地点目標を表示することも可能である。
【００２２】
次に競技用着地エリアマーカの他の実施の形態を説明する。
図５は競技用着地エリアマーカの他の実施の形態を示す斜視図であり、２０は競技用着地エリアマーカであり、２１Ａは所定の長さを有するライン状の単位基体部材であり、２２Ａと２２Ｂは前記単位基体部材２１Ａに所定の間隔に配設される図３で詳説した距離表示部材２２と同等の二つの距離表示部材であり、該二つの距離表示部材２２Ａ、２２Ｂと前記単位基体部材２１Ａとが一体化してマーカユニット２４Ａを構成する。
【００２３】
同様に、２４Ｂは単位基体部材２１Ｂと二つの距離表示部材２２Ｃ、２２Ｄとを一体化してなるマーカユニットであり、２４Ｃは単位基体部材２１Ｃと二つの距離表示部材２２Ｅ、２２Ｆとを一体化してなるマーカユニットであり、更に２５は各マーカユニット２４Ａ、２４Ｂ、２４Ｃに電源を供給する電源ユニットである。また、２１ｄは機械的及び電気的結合手段である凸型形状のユニット結合部材であり、後述するが該ユニット結合部材は、各マーカユニット２４Ａ〜２４Ｃと電源ユニット２５に設けられて各マーカユニット２４Ａ〜２４Ｃと電源ユニット２５を機械的電気的に結合し、一体化した競技用着地エリアマーカ２０を構成する。
また、２６はユニット防水用パッキンであって各マーカユニット２４Ａ〜２４Ｃの両端に設けられ、雨などの水分が各マーカユニット２４Ａ〜２４Ｃの内部に入るのを防いでいる。
【００２４】
図７は図５で示した競技用着地エリアマーカ２０の制御系を示すブロック図であり、図７に於いて、前記マーカユニット２４Ａの一方の端面には凸型形状の機械的電気的結合手段の前記ユニット結合部材２１ｄを有し、他方の端面には凹型形状の機械的電気的結合手段のユニット結合部材２１ｅを有し、同様に第２のマーカユニット２４Ｂの一方の端面には凸型形状のユニット結合部材２１ｆを有し、他方の端面には凹型形状のユニット結合部材２１ｇを有し、第３のマーカユニット２４Ｃの一方の端面には凸型形状のユニット結合部材２１ｈを有し、他方の端面には凹型形状のユニット結合部材２１ｉを有し、それぞれのユニット結合部材が結合して各マーカユニット２４Ａ〜２４Ｃが機械的電気的に結合している。
【００２５】
また、前記電源ユニット２５は電源部２５ａと制御部２５ｂ及びユニット結合部材２５ｃによってなり、該電源部２５ａは各マーカユニット２４Ａ〜２４Ｃを駆動する駆動電圧２５ｄを制御部２５ｂに出力し、制御部２５ｂは前記駆動電圧２５ｄを入力して各マーカユニット２４Ａ〜２４Ｃを駆動する駆動電圧と表示制御する制御信号である駆動制御信号２５ｅを出力する。
【００２６】
ここで、前記電源ユニット２５と前記マーカユニット２４Ｃは、電源ユニット２５のユニット結合部材２５ｃとマーカユニット２４Ｃのユニット結合部材２１ｉによって電気的に結合しているので、前記駆動制御信号２５ｅはマーカユニット２４Ｃに供給され、該駆動制御信号２５ｅは、該マーカユニット２４Ｃ内で分離して前記二つの距離表示部材２２Ｅ、２２Ｆに供給されるとともに、更に次のマーカユニット２４Ｂに供給するためにユニット結合部材２１ｈに接続される。
【００２７】
マーカユニット２４Ｃのユニット結合部材２１ｈは、前記マーカユニット２４Ｂのユニット結合部材２１ｇと電気的に結合しているので、前記駆動制御信号２５ｅはマーカユニット２４Ｂに供給され、該駆動制御信号２５ｅは、該マーカユニット２４Ｂ内で分離して前記二つの距離表示部材２２Ｃ、２２Ｄに供給されるとともに、更に次のマーカユニット２４Ａに供給するためにユニット結合部材２１ｆに接続される。
【００２８】
マーカユニット２４Ｂのユニット結合部材２１ｆは、前記マーカユニット２４Ａのユニット結合部材２１ｅと電気的に結合しているので、前記駆動制御信号２５ｅはマーカユニット２４Ａに供給され、該駆動制御信号２５ｅは、該マーカユニット２４Ａ内で分離して前記二つの距離表示部材２２Ａ、２２Ｂに供給されるとともに、更に次のマーカユニット（図示せず）に供給するためにユニット結合部材２１ｄに接続され、この結果、電源ユニット２５の制御部２５ｂからの駆動制御信号２５ｅは、すべての距離表示部材２２Ａ〜２２Ｆに供給され、制御部２５ｂは、すべての距離表示部材２２Ａ〜２２Ｆを制御することができる。
【００２９】
ここで図５と図７で示した他の実施の形態である競技用着地エリアマーカ２０が跳躍種目に於いて実際にどのように配置されるかは、前述した図６の走り幅跳び競技の概略配置図と同等であるので省略し、次に図５と図７で示した競技用着地エリアマーカ２０の動作を説明する。
図７に於いて電源ユニット２５の電源スイッチ（図示せず）がオンになると、電源部２５ａが動作を開始して駆動電圧２５ｄを制御部２５ｂに供給し、該制御部２５ｂは駆動電圧２５ｄを入力して前記距離表示部材２２Ａ〜２２Ｆを個々に駆動制御するための駆動制御信号２５ｅを出力し、各距離表示部材２２Ａ〜２２Ｆは該駆動制御信号２５ｅを入力して動作を開始する。
【００３０】
ここで、各距離表示部材２２Ａ〜２２Ｆは駆動制御信号２５ｅによってそれぞれ表示内容の指示を受けるので、例えば、距離表示部材２２Ａは５．０メートルを意味する５．０を表示し、距離表示部材２２Ｂは、５．５メートルを意味する５．５を表示し、距離表示部材２２Ｃは６．０メートルを意味する６．０を表示し、距離表示部材２２Ｄは６．５メートルを意味する６．５を表示し、距離表示部材２２Ｅは７．０メートルを意味する７．０を表示し、距離表示部材２２Ｆは７．５メートルを意味する７．５を表示し、競技者１０に対して踏切板１３からの着地点目標を明確に示すことができる。
【００３１】
また、制御部２５ｂは駆動制御信号２５ｅによって各距離表示部材２２Ａ〜２２Ｆを一括制御するので、先頭の距離表示部材２２Ａから最後尾の距離表示部材２２Ｆまでを光が流れるように順次点灯したり、または、すべての距離表示部材２２Ａ〜２２Ｆを同時点滅させたりなど、特殊な点灯仕様にも対応可能である。
尚、電源ユニット２５の電源部２５ａは、１次電池、２次電池、太陽電池、外部からの電源供給、又はこれらの組み合わせでもよい。
また、図５で示した競技用着地エリアマーカ２０はマーカユニットを３台結合して一体化しているが、競技種目に応じてマーカユニット数は増減することができる。
また、距離表示部材２２Ａ〜２２Ｆは、距離を意味する数字表示ではなく、高輝度タイプの丸型又は角型等、任意な形状のランプでもよい。
【００３２】
【発明の効果】
以上の説明から明らかなように、本発明の競技用着地エリアマーカによれば、陸上競技の跳躍種目である走り幅跳びや三段跳び競技に於いて、着地エリアである砂場の側方に砂場に沿って着地点目標となる明るく輝く電気光学的な距離表示部材を設置するので、競技者が助走路を走行して踏切板で踏み切り、砂場に着地するまでの間、公平に着地点目標を視認出来、競技者に更なる記録更新の機会を均等に与えることが可能となる。
また本発明の競技用着地エリアマーカは、競技種目に応じてその長さを任意に変えられ、且つ、距離表示部材も任意に増減できるので、各競技種目に柔軟に対応することが可能である。
また、競技用着地エリアマーカの電源は太陽光を利用した太陽電池の使用が可能であり、また、雨などの対策として防水構造を有するので、屋外での使用に十分適応している。
【図面の簡単な説明】
【図１】本発明の実施の形態を示す競技用着地エリアマーカの斜視図である。
【図２】図１の競技用着地エリアマーカの基体部材と距離表示部材を分離した斜視図である。
【図３】図１、図２で示した距離表示部材の拡大斜視図である。
【図４】図１、図２で示した距離表示部材の他の実施の形態を示す拡大斜視図である。
【図５】本発明の他の実施の形態を示す競技用着地エリアマーカの斜視図である。
【図６】本発明の競技用着地エリアマーカを用いた走り幅跳び競技の概略配置図である。
【図７】図５で示した競技用着地エリアマーカの制御系を示すブロック図である。
【図８】従来例としてのハンマー投げ競技の概略配置図である。
【図９】従来の走り幅跳びや三段跳び競技の概略配置図である。
【図１０】図９の距離標識マーカの側面図である。
【符号の説明】
１０　競技者
１１　砂場
１２　助走路
１３　踏切板
２０　競技用着地エリアマーカ
２１　基体部材
２１ａ　表示部材取り付け部
２１Ａ、２１Ｂ、２１Ｃ　単位基体部材
２１ｄ〜２１ｉ　ユニット結合部材
２２、２２Ａ〜２２Ｇ　距離表示部材
２２ａ　数字表示装置
２３　太陽電池
２４Ａ、２４Ｂ、２４Ｃ　マーカユニット
２５　電源ユニット
【図１】
2004008712.tif 000003
【図２】
2004008712.tif 000004
【図３】
2004008712.tif 000005
【図４】
2004008712.tif 000006
【図５】
2004008712.tif 000007
【図６】
2004008712.tif 000008
【図７】
2004008712.tif 000009
【図８】
2004008712.tif 000010
【図９】
2004008712.tif 000011
【図１０】
2004008712.tif 000012